(57)【要約】【課題】遊技球の重力に起因するスクリューの回転負荷を軽減できる遊技球のスクリュー式払出装置を提供することにある。【解決手段】タンク２は、遊技球１００の貯留空間３ａを形成している貯留部３と、タンク２の底部で貯留部３からタンク２の外に遊技球１００を導く排出通路６とを有する。スクリュー２０は排出通路６に収容されていて排出通路６左端の出口７に遊技球１００を搬送するよう回転駆動される。貯留部３は排出通路６の右端に向かって先細りした空間３ａ１を間に形成している１対の案内壁４Ａ，４Ｂを有する。スクリュー２０の右端部には１対の案内壁４Ａ，４Ｂ間に突出して位置する、遊技球１００の撹拌部２４が設けられている。この撹拌部２４は排出通路６右端から１対の案内壁４Ａ，４Ｂ間に向かう方向に末広がり状を成すようスクリュー２０が延長されたものである。【選択図】図３
2010094228.tif 000002
【特許請求の範囲】
【請求項１】
タンクに貯留された遊技球をスクリューにより前記タンクの外に搬出する遊技球のスクリュー式払出装置において、
前記タンクは、遊技球の貯留空間を形成している貯留部と、前記タンクの底部に設けられ前記貯留部から前記タンクの外に遊技球を導く排出通路とを有し、
前記スクリューは前記排出通路に、この排出通路の一端から他端に亘って延びた姿勢で収容されていて、前記他端に設けられた遊技球の出口に遊技球を搬送する方向に回転するよう駆動され、
前記貯留部は、前記排出通路の一端に向かって先細りした空間を間に形成している１対の案内壁を有し、
前記排出通路の一端側に位置する前記スクリューには、前記１対の案内壁間に位置し遊技球を撹拌する撹拌部が設けられていて、この撹拌部は前記排出通路内に位置する前記スクリューの部分よりも外周側に突出して形成されている
ことを特徴とする遊技球のスクリュー式払出装置。
【請求項２】
請求項１に記載の発明において、
前記排出通路の一端側に位置する前記スクリューの端部は前記１対の案内壁間に突出して位置し、前記排出通路の一端から前記１対の案内壁間に向かう方向において末広がり状を成して前記撹拌部を兼ねる
ことを特徴とする遊技球のスクリュー式払出装置。
【請求項３】
請求項１または２に記載の発明において、
前記排出通路は上側で開口した溝状に形成されていて、前記スクリューは前記排出通路内にこの排出通路の底部に沿って延びた姿勢で位置し、
前記排出通路において前記スクリューを挟んで対向して位置する１対の立壁は、前記スクリューよりも高く起立して互いの間に遊技球の貯留空間を形成している
ことを特徴とする遊技球のスクリュー式払出装置。
【発明の詳細な説明】
【技術分野】
【０００１】
本発明は、弾球遊技機に備えられるものであって、タンクに貯留された遊技球をスクリューによりタンクの外に搬出して遊技球の払出しを行う遊技球のスクリュー式払出装置に関する。
【背景技術】
【０００２】
従来の遊技球のスクリュー式払出装置において、タンクは弾球遊技機の背面上部に設けられていて、このタンクの上面視形状は弾球遊技機の左右方向に長い長方形状を成している。このタンクは、このタンクの本体部であって遊技球の貯留空間を形成している貯留部と、貯留部の底部の左右方向の一端に設けられていて、貯留部からタンクの外に遊技球を導く排出通路とを有する。
【０００３】
排出通路はタンクと同方向（左右方向）に長く上側で開口した溝状に形成されている。スクリューは排出通路に、この排出通路の一端から他端に亘って延びた姿勢で収容されていている。排出通路の右端にはタンクの外に通じる遊技球の出口が形成されている。スクリューの上側の略全体は、排出通路の上側の開口部から露出している。貯留部の内底面は、排出通路の前方、後方および右方の３方に広がっていて、いずれの部分も排出通路に向かって下り勾配に傾斜していて、遊技球がその重力により貯留部から排出通路に前記３方から転がり込むようになっている。排出通路に転がり込んだ遊技球は、スクリューの螺旋羽と軸棒により形成された螺旋溝に入ったり、周囲の遊技球とバランスして螺旋羽の縁部上に留まったりすることになる。
【０００４】
タンクの外にはスクリューの回転の駆動源となる電動モータが設けられている。スクリューが回転すると、そのとき既に螺旋溝に入っていた遊技球は直ちに螺旋羽により排出通路の出口に向かって搬送され、また、螺旋羽の縁部上に留まっていた遊技球は、螺旋羽の回転によりバランスを崩されて螺旋溝に入った後、排出通路の出口に向かって搬送される。出口から排出された遊技球は、弾球遊技機の前面下部に設けられた受け皿、および弾球遊技機の背面下部に設けられた回収用排出口の一方に、選択的に導かれることになる。
【０００５】
ここで説明した従来の遊技球のスクリュー式払出装置は特許文献１に開示されている。
【特許文献１】特開２００７−１７５３１６号公報
【発明の開示】
【発明が解決しようとする課題】
【０００６】
前述した従来のスクリュー式払出装置においては、スクリューの前方、後方および右方の三方からスクリューの上方に積もった大量の遊技球の重力に起因し、スクリューに回転負荷が生じる。この回転負荷がスクリューを回転させるトルクを上回れば、電動モータが脱調し、スクリューによる遊技球の搬送が一時的に滞るため、遊技球の払出数不足の原因になる。
【０００７】
そこで、スクリューを駆動する電動モータとして、スクリューの回転負荷よりも十分に大きなトルクが出力できるものを選択することが考えられる。しかし、電動モータは出力トルクが大きいほど外形寸法が大きく、外形寸法の大きな電動モータの使用はスクリュー式払出装置を大型化させることになるため、好ましくない。
【０００８】
本発明は前述の事情を考慮してなされたものであり、その目的は、遊技球の重力に起因するスクリューの回転負荷を軽減できる遊技球のスクリュー式払出装置を提供することにある。
【課題を解決するための手段】
【０００９】
本発明は前述の目的を達成するために次のように構成されている。
【００１０】
〔１〕  本発明は、タンクに貯留された遊技球をスクリューにより前記タンクの外に搬出する遊技球のスクリュー式払出装置において、前記タンクは、遊技球の貯留空間を形成している貯留部と、前記タンクの底部に設けられ前記貯留部から前記タンクの外に遊技球を導く排出通路とを有し、前記スクリューは前記排出通路に、この排出通路の一端から他端に亘って延びた姿勢で収容されていて、前記他端に設けられた遊技球の出口に遊技球を搬送する方向に回転するよう駆動され、前記貯留部は、前記排出通路の一端に向かって先細りした空間を間に形成している１対の案内壁を有し、前記排出通路の一端側に位置する前記スクリューには、前記１対の案内壁間に位置し遊技球を撹拌する撹拌部が設けられていて、この撹拌部は前記排出通路内に位置する前記スクリューの部分よりも外周側に突出して形成されていることを特徴とする。
【００１１】
この「〔１〕」に記載の本発明において、１対の案内壁は互い間に、排出通路の一端に向かって先細りした空間を形成している。これにより、貯留部から排出通路に転がり込む遊技球の数を制限でき、したがって、スクリューの回転負荷を軽減できる。
【００１２】
なお、排出通路の一端では、複数の遊技球が１対の案内壁とスクリューとの間での偶発的な力のバランスにより重力に抗して連なった状態となるブリッジング現象が生じる。このブリッジング現象は、スクリューの回転負荷を増大させたり、貯留部からスクリューへの連続的な遊技球の流動を一時的に途切れさせたりするので、好ましくない。そこで、「〔１〕」に記載の本発明は、撹拌部をスクリューとともに回転させることで１対の案内壁間の遊技球を撹拌し、これによって、排出通路の一端におけるブリッジング現象の発生を低減することができる。
【００１３】
〔２〕  本発明は、「〔１〕」に記載の発明において、前記排出通路の一端側に位置する前記スクリューの端部は前記１対の案内壁間に突出して位置し、前記排出通路の一端から前記１対の案内壁間に向かう方向において末広がり状を成して前記撹拌部を兼ねることを特徴とする。
【００１４】
この「〔２〕」に記載の本発明は、１対の案内壁間の端部間における遊技球の撹拌と、排出通路内への遊技球の円滑な導入とを両立できる。また、撹拌部の縁部はスクリューの周方向の全範囲に亘って円みを帯びた形状であるので、撹拌時に遊技球に引っ掛かりにくく、したがって撹拌に伴うスクリューの回転負荷の増加を抑えることができる。
【００１５】
〔３〕  本発明は、「〔１〕」または「〔２〕」に記載の発明において、前記排出通路は上側で開口した溝状に形成されていて、前記スクリューは前記排出通路内にこの排出通路の底部に沿って延びた姿勢で位置し、前記排出通路において前記スクリューを挟んで対向して位置する１対の立壁は、前記スクリューよりも高く起立して互いの間に遊技球の貯留空間を形成していることを特徴とする。
【００１６】
この「〔３〕」に記載の本発明は、貯留部から排出通路に転がり込む遊技球の数を制限しつつ、排出通路の上方にも遊技球を貯留することができる。
【発明の効果】
【００１７】
本発明によれば、前述したように、貯留部から排出通路に転がり込む遊技球の数を１対の案内壁により制限でき、したがって、スクリューの回転負荷を軽減できる。また、排出通路の一端における遊技球のブリッジング現象の発生を撹拌部により低減できる。
【発明を実施するための最良の形態】
【００１８】
本発明の一実施形態に係る遊技球のスクリュー式払出装置について、図１〜図９を用いて説明する。図１は本発明の一実施形態に係る遊技球のスクリュー式払出装置を弾球遊技機の左前斜め上方から見た状態を示す斜視図である。図２は図１に示した遊技球のスクリュー式払出装置を弾球遊技機の右前斜め上方から見た状態を示す斜視図である。図３は図１に示した遊技球のスクリュー式払出装置の上面図である。図４は図１に示した遊技球のスクリュー式払出装置の前面図である。図５は図１に示した遊技球のスクリュー式払出装置に備えられたスクリューの斜視図である。図６は図５に示したスクリューの前面図である。図７は図１示した遊技球のスクリュー式払出装置において生じる遊技球のブリッジング現象の一例と、スクリューと排出通路と遊技球の寸法関係を示す、図３のVII−VII切断線に対応する断面図である。図８は排出通路の１対の立壁の間隔が図７に示したものよりも大きいときに生じるブリッジング現象の一例を示す断面図である。図９は排出通路の１対の立壁の間隔が図７に示したものよりも大きいときに生じるブリッジング現象の一例を示す断面図である。
【００１９】
図１〜図４に示すように、本実施形態に係る遊技球のスクリュー式払出装置１はタンク２を有する。このタンク２は弾球遊技機の背面上部に設けられていて、このタンク２の上面視形状は弾球遊技機の左右方向に長い長方形を成している。また、このタンク１は、このタンク１の本体部であって遊技球１００の貯留空間３ａを形成している貯留部２と、タンク１の右端側の底部に設けられていて貯留部２からタンク１の外に遊技球１００を導く排出通路６から略Ｙの字状の内部形状となっている。
【００２０】
排出通路６はタンク１と同方向（左右方向）に直線状に延び、かつ上側で開口した溝状に形成されている。スクリュー２０は排出通路６に、この排出通路６の一端（左端）から他端（右端）に亘って延びた姿勢で収容されている。排出通路６の左端にはタンク２の外に通じる遊技球１００の出口７が形成されている。スクリュー２０は、図５示す電動モータＭにより駆動されて、左端Ｌから右端Ｒの出口７に、すなわち矢印Ｚ方向に遊技球１００を搬送するよう回転する。その電動モータは、タンク１の右側部に取り付けられたカバー体１０により覆われている。
【００２１】
貯留部３は、貯留空間３ａの一部であって排出通路６の上流空間３ａ２から左端に向かって先細りした空間３ａ１を間に形成している１対の案内壁４Ａ，４Ｂを有する。また、図４に示すように、貯留部３の内底面５ａを上面として有する底板部５は、排出通路６に向かう方向、すなわち、左から右に向かう方向において下り勾配に傾斜している。これら１対の案内壁４Ａ，４Ｂと底板部５により、貯留部３内を遊技球１００が排出通路６に向かって転がるようになっている。
【００２２】
排出通路６の左端側に位置するスクリュー２０の軸棒２１の端部（左端部）には、１対の案内壁４Ａ，４Ｂ間に突出して位置し、遊技球１００を撹拌する撹拌部２４が設けられている。この撹拌部２４は、スクリュー２０の軸棒２１の左端部が排出通路６の左端から１対の案内壁４Ａ，４Ｂ間に向かう矢印Ｙ方向に末広がり状に延長された部分と、この部分に沿って螺旋羽２２が延長された部分Ｘとから成っている。つまり、スクリュー２０の左端部は遊技球１００を導入する部分というだけでなく、撹拌部を兼ねている。撹拌部２４において、螺旋羽２２の軸棒２１からの突出量は、軸棒２１の径の増大に伴って減少するよう設定されている。なお、螺旋羽２２の延長された部分Ｘの終端は、軸棒２１の径方向に向かって延びた端面Ｗを成して、撹拌効果を高めている。撹拌効果をさらに高めるため、螺旋羽２２の延長された部分の外周面に凹凸を設けてもよい。
【００２３】
排出通路６は上側で開口した溝状に形成されている。スクリュー２０は排出通路６内にこの排出通路６の底部に沿って延びた姿勢で位置する。図７に示すように、排出通路６の底部は、底板部５に対して段差を有して低く位置し、スクリュー２０の軸周りの遊技球１００の回転を規制する板状の回転規制部８Ａ，８Ｂから成っている。これら回転規制部８Ａ，８Ｂは間隔Ｒｄを隔てて位置している。この間隔Ｒｄにはスクリュー２０の螺旋羽２２の下部が挿入されている。前側の回転規制部８Ａとスクリュー２０との位置関係は、回転規制部８Ａによってスクリュー２０の軸周りの遊技球１００の回転が規制された状態において、遊技球１００の中心Ｂｏと、スクリュー２０の軸心Ｓｏとを、前後方向において重ならせる位置関係に設定されている。後側の回転規制部８Ｂとスクリュー２０との位置関係も、回転規制部８Ｂによってスクリュー２０の軸周りの遊技球１００の回転が規制された状態において、遊技球１００の中心Ｂｏとスクリュー２０の軸心Ｓｏとを前後方向において重ならせる位置関係に設定されている。
【００２４】
排出通路６においてスクリュー２０を挟んで対向して位置する１対の立壁９Ａ，９Ｂは、スクリュー２０よりも高く起立して互いの間に遊技球１００の貯留空間９ａを形成している。１対の立壁９Ａ，９Ｂの間隔とスクリュー２０と遊技球１００との寸法関係は、図３，７に示すように設定されている。つまり、図３に示すように、スクリュー２０の螺旋羽２２と軸棒２１により形成されている螺旋溝２３の軸方向の幅は、遊技球１００を１つだけ挿入可能で遊技球１００の直径と略同寸法に設定されている。さらに、図７に示すように、１対の立壁９Ａ，９Ｂの間隔Ｗｄは遊技球１００の直径（１１ｍｍ）の３倍よりも小さく寸法、例えば３１ｍｍに設定されている。軸棒２１の直径Ｓｄは８ｍｍに設定されている。スクリュー２０の軸棒２１と前側の立壁９Ａの間隔ｄ１は、遊技球１００を１つだけ挿入可能で遊技球１００の直径と略同寸法、例えば１１．５ｍｍに設定されている。軸棒２１と後側の立壁９Ｂとの間隔ｄ２も、遊技球１００を１つだけ挿入可能で遊技球１００の直径と略同寸法の間隔ｄ１と同じ１１．５ｍｍに設定されている。
【００２５】
このように１対の立壁９Ａ，９Ｂの間隔Ｗｄとスクリュー２０と遊技球１００との寸法関係を設定したことによって、複数の遊技球１００が１対の立壁９Ａ，９Ｂとスクリュー２０との間での偶発的な力のバランスによって重力に抗し連なるブリッジング現象を、図７に示すように３つの遊技球１００ａ〜１００ｃが連なるブリッジング現象に限定し、図８に示すように４つの遊技球１００ｄ〜１００ｇが連なるブリッジング現象や、図９に示すように４つの遊技球１００ｈ〜１００ｋが連なるブリッジング現象を生じさせないようにしてある。なお、図７，図８，図９において遊技球を示す符号「１００ａ」〜「１００ｋ」について、「ａ」〜「ｋ」は遊技球１００の位置を区別するためのものである。
【００２６】
図７に示す遊技球１００ａ，１００ｂ，１００ｃのブリッジング現象は、軸棒２１の前斜め上方において前側の立壁９Ａと螺旋羽２２の両方に遊技球１００ａが接触した状態であり、かつ、軸棒２１の後斜め上方において後側の立壁９Ｂと螺旋羽２２の両方に遊技球１００ｂが接触した状態であり、かつ、遊技球１００ａ，１００ｂ間において遊技球１００ｃが螺旋羽２２に接触せずに遊技球１００ａ，１００ｂの両方に接触した状態が、遊技球１００ａ，１００ｂ，１００ｃと１対の立壁９Ａ，９Ｂと螺旋羽２２との間における偶発的な力のバランスにより生じたものである。
【００２７】
図８に示す遊技球１００ｄ〜１００ｇのブリッジング現象は、軸棒２１の前斜め上方において前側の立壁９Ａと螺旋羽２２の両方に遊技球１００ｄが接触した状態であり、かつ、軸棒２１の後斜め上方において後側の立壁９Ｂと螺旋羽２２の両方に遊技球１００ｅが接触した状態であり、かつ、遊技球１００ｆが螺旋羽２２に接触せずに遊技球１００ｄの後斜め上部に接触した状態であり、かつ、遊技球１００ｆが螺旋羽２２に接触せずに遊技球１００ｆの後部と、遊技球１００ｅの前斜め上部との両方に接触した状態が、遊技球１００ｄ〜１００ｇと立壁９Ａ，９Ｂと螺旋羽２２との間における偶発的な力のバランスにより生じたものである。
【００２８】
図９に示すブリッジング現象は、軸棒２１の前斜め上方において前側の立壁９Ａに遊技球１００ｈが接触した状態であり、かつ、この遊技球１００ｈの後斜め下部と軸棒２１の前斜め上部との両方に遊技球１００ｉが接触した状態であり、かつ、この遊技球１００ｉの後部と軸棒２１の後斜め上部との両方に遊技球１００ｊが接触した状態であり、かつ、この遊技球１００ｊの後斜め上部と後側の立壁９Ｂとの両方に遊技球１００ｋが接触した状態が、遊技球１００ｈ〜１００ｋと１対の立壁９Ａ，９Ｂと軸棒２１との間における偶発的な力のバランスにより生じたものである。
【００２９】
ブリッジング現象はスクリュー２０の回転負荷を増大させるので好ましくない。図７，図８，図９に示すブリッジング現象のうちでは、図７に示すブリッジング現象によるスクリュー２０の回転負荷が最も小さい。そこで、本実施形態に係る遊技球のスクリュー式払出装置においては、１対の立壁９Ａ，９Ｂをスクリュー２０よりも高く起立させて貯留空間９ａを形成しつつ、スクリュー２０の回転負荷の増大を抑えるために、１対の立壁９Ａ，９Ｂ間に生じるブリッジング現象を、図７に示すブリッジング現象に限定している。
【００３０】
図２，４に示すように、カバー体１０の下部からは、払出用管路部３０と回収用管路部３１Ａ，３１Ｂが導出されている。払出用管路部３０は、弾球遊技機の前面下部に設けられた球受け皿（図示してない）に遊技球１００を導く払出用管路（図示してない）の一部である。回収用管路部３１Ａ，３１Ｂは、遊技球１００を回収する際に使用される回収用管路（図示してない）の一部であり、その回収用管路は弾球遊技機の背面下部に遊技球の出口を有する。払出用管路部３０から球受け皿に延びた払出用管路の残りの部分、および、回収用管路部３１Ａ，３１Ｂから延びた回収用管路の残りの部分については、図示を省略した。遊技球１００は排出通路６の出口７からタンク２の外であるカバー体１０の内側に排出され、その後、弁機構により払出用管路部３０の入口および回収用管路３１Ａ，３１Ｂの入口の一方に選択的に導かれるようになっている。
【００３１】
本実施形態に係る遊技球のスクリュー式払出装置１によれば次の効果を得られる。
【００３２】
遊技球のスクリュー式払出装置１において、１対の案内壁４Ａ，４Ｂは、排出通路６の左端に向かって先細りした空間３ａ１を間に形成している。これにより、貯留部３から排出通路６に転がり込む遊技球１００の量を制限でき、したがって、スクリュー２０の回転負荷を軽減できる。
【００３３】
なお、排出通路６の左端では、複数の遊技球１００が１対の案内壁４Ａ，４Ｂとスクリュー２０との間での偶発的な力のバランスにより重力に抗して連なった状態となるブリッジング現象が生じる。このブリッジング現象は、スクリュー２０の回転負荷を増大させたり、貯留部３からスクリュー２０への連続的な遊技球１００の流動を一時的に途切れさせたりするので、好ましくない。遊技球のスクリュー式払出装置１は、撹拌部２４をスクリュー２０とともに回転させることで１対の案内壁４Ａ，４Ｂ間の遊技球１００を撹拌し、これによって、排出通路６の左端におけるブリッジング現象の発生を低減できる。
【００３４】
遊技球のスクリュー式払出装置１において、撹拌部２４は、スクリュー２０の左端部は１対の案内壁４Ａ，４Ｂ間に突出して位置し、排出通路６の左端から１対の案内壁４Ａ，４Ｂ間に向かう方向において末広がり状を成すようスクリュー２０が延長された部分から成っている。これにより１対の案内壁４Ａ，４Ｂ間の端部間における遊技球１００の撹拌と、排出通路６内への遊技球１００の円滑な導入とを両立できる。また、撹拌部２４の縁部はスクリュー２０の周方向の全範囲に亘って円みを帯びた形状であるので、撹拌時に遊技球１００に引っ掛かりにくく、したがって撹拌に伴うスクリュー２０の回転負荷の増加を抑えることができる。
【００３５】
遊技球のスクリュー式払出装置１において、スクリュー２０を挟んで対向して位置する排出通路６の１対の立壁９Ａ，９Ｂは、スクリュー２０よりも高く起立して互いの間に遊技球１００の貯留空間９ａを形成している。これにより、排出通路６に転がり込む遊技球１００の量を制限しつつ、排出通路６の上方にも遊技球１００を貯留することができる。
【００３６】
前述の実施形態において撹拌部２４はスクリュー２０の端部が末広がり状に延長されたものからなっているが、本発明において撹拌部はその撹拌部２４に限定されず、１対の案内壁４Ａ，４Ｂ間に突出して位置するようスクリュー２０の端部に設けられ、排出通路６内に位置するスクリュー２０の部分よりも外周側に突出して形成されたものであればよい。なお、撹拌部の縁部は、撹拌時に遊技球に引っ掛かりにくいようスクリュー周方向の全範囲に亘って円みを帯びた形状であることが好ましい。
【００３７】
前述の実施形態において、排出通路６は上側が開口した溝状であって、スクリュー２０よりも高く起立した１対の立壁９Ａ，９Ｂにより貯留空間９ａを形成している。本発明において排出通路は排出通路６のように上側が開口したものに限定されず、上側が閉じて貯留空間９ａを形成しないものであってもよい。
【図面の簡単な説明】
【００３８】
【図１】本発明の一実施形態に係る遊技球のスクリュー式払出装置を弾球遊技機の左前斜め上方から見た状態を示す斜視図である。
【図２】図１に示した遊技球のスクリュー式払出装置を弾球遊技機の右前斜め上方から見た状態を示す斜視図である。
【図３】図１に示した遊技球のスクリュー式払出装置の上面図である。
【図４】図１に示した遊技球のスクリュー式払出装置の前面図である。
【図５】図１に示した遊技球のスクリュー式払出装置に備えられたスクリューの斜視図である。
【図６】図５に示したスクリューの前面図である。
【図７】図１示した遊技球のスクリュー式払出装置において生じる遊技球のブリッジング現象の一例と、スクリューと排出通路と遊技球の寸法関係を示す、図３のVII−VII切断線に対応する断面図である。
【図８】排出通路の１対の立壁の間隔が図７に示したものよりも大きいときに生じるブリッジング現象の一例を示す断面図である。
【図９】排出通路の１対の立壁の間隔が図７に示したものよりも大きいときに生じるブリッジング現象の一例を示す断面図である。
【符号の説明】
【００３９】
１  遊技球のスクリュー式払出装置
２  タンク
３  貯留部
３ａ  貯留空間
３ａ１  空間
３ａ２  上流空間
４Ａ，４Ｂ  案内壁
５  底板部
５ａ  内底面
６  排出通路
７  出口
８Ａ，８Ｂ  回転規制部
９Ａ，９Ｂ  立壁
９ａ  貯留空間
１０  カバー体
２０  スクリュー
２１  軸棒
２２  螺旋羽
２３  螺旋溝
２４  撹拌部
３０  払出用管路部
３１Ａ，３１Ｂ  回収用管路部
１００，１００ａ〜１００ｋ  遊技球
Ｒｄ  回転規制部の間隔
Ｓｏ  スクリューの軸心
Ｓｄ  軸棒の直径
Ｂｏ  遊技球の中心
Ｂｄ  遊技球の直径
Ｗｄ  立壁の間隔
ｄ１  軸棒と前側の立壁との間隔
ｄ２  軸棒と後側の立壁との間隔
【図１】
2010094228.tif 000003
【図２】
2010094228.tif 000004
【図３】
2010094228.tif 000005
【図４】
2010094228.tif 000006
【図５】
2010094228.tif 000007
【図６】
2010094228.tif 000008
【図７】
2010094228.tif 000009
【図８】
2010094228.tif 000010
【図９】
2010094228.tif 000011